(57)【要約】【課題】被施術者の支持を安定させ、無理なく開脚させる医療台を提供する。【解決手段】被施術者の上半身を保持する背板１１と、背板１１を往動させる背板支持機構部１１ａと、被施術者の腰部を保持する腰板１２と、被施術者の左右の脚部と各々当接して保持する支脚器１４，１５と、倒伏状態の背板１１に保持されている被施術者の脚部を開脚させるとき、所定の回転軸を中心に支脚器１４、１５を移動させる支脚器支持機構部を備え、支脚器１４，１５は、開脚させた脚部が脱落しない高さの凸状部１４ａ，１５ａを、脚部内側部分と当接する位置に備える。【選択図】図１
2017189560.tif 000002
【特許請求の範囲】
【請求項１】
被施術者の背中と当接して上半身を保持する背板と、
前記背板を往動させて起立状態または倒伏状態に支持する背板支持機構部と、
前記被施術者の腰部を保持する腰板と、
前記被施術者の左右の脚部と各々当接して保持する複数の支脚器と、
前記倒伏状態の背板に保持されている前記被施術者の脚部を開脚させるとき、所定の回転軸を中心に前記支脚器を移動させる支脚器支持機構部と、
を備え、
前記支脚器は、
前記開脚させた脚部が脱落しない高さの凸形状部位を、前記脚部内側部分と当接する位置に備える、
ことを特徴とする医療台。
【請求項２】
前記支脚器は、
該医療台を側方視したとき、前記被施術者の膝を含む脚部後側に沿った略Ｌ字状に形成されている、
ことを特徴とする請求項１に記載の医療台。
【請求項３】
前記支脚器は、
前記被施術者の脚部脹脛後側と当接する部位が前記脚部の膝ならびに大腿部と当接する部位よりも平面状に形成されている、
ことを特徴とする請求項１または２に記載の医療台。
【請求項４】
前記支脚器は、
前記被施術者の脚部と当接する部位表面が単一部材によって形成されている、
ことを特徴とする請求項１から３のいずれか１項に記載の医療台。
【請求項５】
前記支脚器支持機構部は、
前記支脚器を移動させるときの回転軸が前記背板に保持されている被施術者の脚部の可動軸と異なる、
ことを特徴とする請求項１から４のいずれか１項に記載の医療台。
【発明の詳細な説明】
【技術分野】
【０００１】
本発明は、被施術者をシート（背板等）に寝かせた状態で安定させ、ひざ下脚部を載置固定して開脚させる支脚器を備えた医療台に関する。
【背景技術】
【０００２】
例えば、産婦人科医院などにおいて患者等の検診や治療を行うとき、患者等を適当な姿勢に保持する医療台が使用されている。この医療台は、患者等の背中部分と接して上半身を保持する背板と、腰部分を支える腰板と、股関節もしくは骨盤下端部分を支持する座板と、各脚の膝後、脹脛、踵などの部分を支持する脚受けを備えている（例えば、特許文献１参照）。
上記の医療台は、着座した患者等を施術する際に倒伏状態とするため、背板および腰板は起立状態から倒伏状態となるまで可動に構成されており、また、患者等を倒伏状態としたときには、当該患者等の脚部を開脚させるため脚受け（股受け）が往動するように構成されている。
【先行技術文献】
【特許文献】
【０００３】
【特許文献１】特開２００４−１１３３０１号公報
【発明の概要】
【発明が解決しようとする課題】
【０００４】
特に、産婦人科医院において患者等の検診を行うときには、当該患者等（被施術者）に羞恥心が生じる。即ち、医療台に倒伏している被施術者は、精神的要因によって脚部を内側方向へ回転させ、股部分を閉じようとする場合がある。そのため、前述の医療台に被施術者が倒伏したとき、脚受け（支脚器）が外側方向へ、即ち、被施術者を開脚させる方向に移動すると脚部が身体内側方向に回転し、当該脚部が支脚器から脱落するおそれがあるという問題点があった。
【０００５】
本発明は前記した課題を解決せんとするもので、その目的とするところは、被施術者の脚部の支持を安定させ、無理なく開脚させる医療台を提供する。
【課題を解決するための手段】
【０００６】
本発明の医療台は、前記した目的を達成せんとするもので、請求項１の手段は、被施術者の背中と当接して上半身を保持する背板と、背板を往動させて起立状態または倒伏状態に支持する背板支持機構部と、被施術者の腰部を保持する腰板と、被施術者の左右の脚部と各々当接して保持する複数の支脚器と、倒伏状態の背板に保持されている被施術者の脚部を開脚させるとき、所定の回転軸を中心に支脚器を移動させる支脚器支持機構部とを備え、支脚器は、開脚させた脚部が脱落しない高さの凸形状部位を、脚部内側部分と当接する位置に備えることを特徴とする。
【０００７】
請求項２の手段は、前記した請求項１において、支脚器は、該医療台を側方視したとき、被施術者の膝を含む脚部後側に沿った略Ｌ字状に形成されていることを特徴とする。
【０００８】
請求項３の手段は、前記した請求項１または２において、支脚器は、被施術者の脚部脹脛後側と当接する部位が脚部の膝ならびに大腿部と当接する部位よりも平面状に形成されていることを特徴とする。
【０００９】
請求項４の手段は、前記した請求項１から３のいずれか１項において、支脚器は、被施術者の脚部と当接する部位表面が単一部材によって形成されていることを特徴とする。
【００１０】
請求項５の手段は、前記した請求項１から４のいずれか１項において、支脚器支持機構部は、支脚器を移動させるときの回転軸が背板に保持されている被施術者の脚部の可動軸と異なることを特徴とする。
【発明の効果】
【００１１】
本発明は前記したように、開脚させた被施術者の脚部が脱落しない高さの凸形状部位を、支脚器の脚部内側部分と当接する位置に備えたので、被施術者の脚部を安定させて開脚させることができる。
【図面の簡単な説明】
【００１２】
【図１】この発明の実施例１による医療台の概略構成を示す斜視図である。
【図２】図１の医療台を構成する左側支脚器の断面図である。
【図３】図１の医療台を水平状態に固定した態様を示す説明図である。
【図４】医療台の支脚器を上昇させた状態を示す説明図である。
【図５】医療台に被施術者を保持させた状態を示す説明図である。
【図６】医療台に保持されている被施術者を開脚させるときの各部の状態を示す説明図である。
【図７】医療台に保持されている被施術者を開脚させた状態を示す説明図である。
【発明を実施するための形態】
【００１３】
以下、この発明の実施の一形態を説明する。
【実施例１】
【００１４】
図１は、この発明の実施例１による医療台の概略構成を示す斜視図である。図示した医療台１は、被施術者の上半身を保持する背板１１、背板１１を稼動して起立状態ならびに水平状態に支持固定する背板支持機構部１１ａ、背板１１の下側に設置され、被施術者の腰部を背後側から保持する腰板１２を備えている。
腰板１２の下側には、被施術者の骨盤下端等に当接させ、当該被施術者の身体を支持固定する座板１３が設置されており、座板１３は、後述するように当該座板１３を起立状態ならびに水平状態に変位させる座板昇降機構部１８（図示省略）によって支持されている。
なお、図１の医療台１は、背板支持機構部１１ａが背板１１を起立させて被施術者が腰掛けた体勢となる状態を示している。
【００１５】
腰板１２の下端側、また、図１に示した医療台１の状態において座板１３の前方側には、右側支脚器１４および左側支脚器１５が備えられている。
右側支脚器１４は図１に図示を省略した支脚器支持機構部１９によって支持されており、また、左側支脚器１５は支脚器支持機構部１７によって支持されている。支脚器支持機構部１７は、医療台１の左側（図１において右側）に備えられており、支脚器支持機構部１９は、医療台１の右側（図１において左側）に備えられている。
なお、上記の背板１１、腰板１２、座板１３、右側支脚器１４および左側支脚器１５など、また、これらを各々支持する、背板支持機構部１１ａ、支脚器支持機構部１７、座板昇降機構部１８、支脚器支持機構部１９等は、医療台１全体を支える基台１６に設置もしくは固定されている。
【００１６】
図２は、図１の医療台１を構成する左側支脚器１５の断面図である。図１に示した右側支脚器１４と左側支脚器１５は左右対称の形状をしており、概ね同様に構成されている。ここでは、各支脚器の共通する構成について左側支脚器１５を例示して説明する。
図２（ａ）は、左側支脚器１５を正面視したときの形状を示している。図２（ｂ）は、図２（ａ）に示したＡ−Ａ線における断面図であり、図２（ｃ）は、図２（ａ）に示したＢ−Ｂ線における断面図である。
左側支脚器１５は、医療台１を側方視したとき略Ｌ字状となる形状をしている。詳しくは、図１に示したように医療台１の背板１１を起立させ、座板１３を水平状態とし、被施術者を腰掛けた体勢にさせているとき、左側支脚器１５の側方形状は、図２（ａ）に示した断面のように逆Ｌ字状になっている。
図１に示した医療台１の状態において、当該医療台１を側方視したとき、左側支脚器１５の湾曲されている上側部分１５ｃは、腰板１２と座板１３によって腰部分（骨盤等）を保持させている被施術者の脚部後側に当接し、腰掛けた体勢において略鉛直に曲げられた膝裏側ならびに大腿部に沿うように形成されている。この上側部分１５ｃは、断面形状が略凹状に形成されており、大腿部後側ならびに膝裏側等の形状に沿うように、滑らかな曲面状の表面を有している。
【００１７】
また、左側支脚器１５の上側部分１５ｃから下方へ延設された部分は、膝下の脹脛に当接するように形成されている。
左側支脚器１５は、医療台１に着座した被施術者の左脚を支持する形状をしており、当該左脚の内側に当接する側方には凸状部１５ａを備えている。凸状部１５ａは、後述する凸状部１４ａと左右対称に形成されており、左膝上の大腿部内側から当該左膝内側にかけて、またさらに脹脛内側部分を保持するように、当該左側支脚器１５内側方（図１において左側）の概ね全体に形成されている。
凸状部１５ａは、被施術者の脚部を開脚させたとき、当該脚部が左側支脚器１５から脱落することなく保持することができる高さ（例えば、脹脛支持部１５ｂ表面からの高さ）を有している。
【００１８】
また、左側支脚器１５は、湾曲させた上側部分１５ｃから（図１において）下方に延設された脹脛支持部１５ｂを備えている。脹脛支持部１５ｂは、医療台１に着座した被施術者の左脚脹脛に当接するように形成されており、後述する脹脛支持部１４ｂと同様な平面状の表面を有している。即ち、脹脛支持部１５ｂは、左側支脚器１５の移動等によって被施術者を開脚させたとき、股関節、膝関節等に発生するねじれなどのストレスを開放するように、当該脹脛支持部１５ｂの表面上において脹脛が回動もしくは移動することができる程度に、平面状に形成されている。
凸状部１５ａは、このような移動等によって脹脛もしくは脚部が右側支脚器１５から脱落することがないように、また、上記のストレス開放を妨げないで支持する形状として右側支脚器１５の内側方（図１において左側）に備えられている。
【００１９】
右側支脚器１４は、医療台１に着座した被施術者の右脚を支持する形状をしており、当該右脚の内側に当接する側方には凸状部１４ａを備えている。凸状部１４ａは、例えば、右膝上の大腿部内側から当該右膝内側にかけて、またさらに脹脛内側部分を保持するように、当該右側支脚器１４内側方（図１において右側）の概ね全体に形成されている。この凸状部１４ａは、後述するように、被施術者の脚部を開脚させたとき、当該脚部が右側支脚器１４から脱落することなく保持することができる高さ（脹脛支持部１４ｂ表面からの高さ）を有している。
また、右側支脚器１４は、前述の上側部分１５ｃと同様に湾曲させた当該右側支脚部１４の上側部分から（図１において）下方に延設された脹脛支持部１４ｂを備えている。
【００２０】
脹脛支持部１４ｂは、医療台１に着座した被施術者の右脚脹脛に当接するように形成されており、前述のように脹脛内側と当接する側方に凸状部１４ａが延設されている。
また、この凸状部１４ａが形成されている部位以外は平面状に形成されている。詳しくは、脹脛支持部１４ｂの表面（右側脹脛と当接する部位）は、膝裏側ならびに大腿部後側等と当接する、前述の湾曲させた上側部分の表面に比べて平面状に形成されており、この平面状の一側方に凸状部１４ａを設けている。
【００２１】
脹脛支持部１４ｂは、被施術者の脹脛を強固に固定することがないように形成されており、右側支脚器１４の往動によって被施術者を開脚させたとき、股関節、膝関節等に発生するねじれなどのストレスを開放するように、当該脹脛支持部１４ｂの表面上において脹脛が回動もしくは移動することができる程度に、平面状に形成されている。前述の凸状部１４ａは、このような移動等によって脹脛もしくは脚部が右側支脚器１４から脱落することがないように、また、上記のストレス開放を妨げない形状として右側支脚器１４の内側方（図１において右側）に備えられている。
【００２２】
このように構成されている右側支脚器１４および左側支脚器１５は、少なくとも被施術者の脚部と当接する表面を、単一の部材（例えば表面を覆うシート材）によって形成しており、この表面に隙間等が生じないように構成されている。このように単一部材によって表面を形成することによって、被施術者等の身体の一部が挟まれるなどの障害を防いでいる。
【００２３】
次に動作について説明する。
図３は、図１の医療台１を水平状態に固定した態様を示す説明図である。この図は、図１に示した背板１１を、背板支持機構部１１ａを稼動させて水平状態としたときの医療台１の概略構成を示したものである。
図３の医療台１は、図示されない操作スイッチ等に操作がなされ、背板支持機構部１１ａ、支脚器支持機構部１７、支脚器支持機構部１９、座板昇降機構部１８等が動作することにより、医療台１をフラット状態（水平状態もしくは倒伏状態）に固定したものであり、医療台１に被施術者が仰向けに寝た状態となって、当該被施術者頭部が若干高くなるように背板１１の表面が略水平になっている。また、このとき腰板１２は背板１１の下端と連なって水平状態になり、また、座板１３は腰板１２の下端と連なって水平状態になっている。
【００２４】
また、前述のフラット状態、即ちベッド状態の医療台１では、右側支脚器１４および左側支脚器１５は、湾曲した上側部分１５ｃ等が腰板１２ならびに背板１１の表面よりも下側に隠れ、脹脛支持部１４ｂおよび脹脛支持部１５ｂの平面状表面が腰板１２ならびに背板１１の表面と略平行となるように支持固定されている。また、脹脛支持部１４ｂの表面と脹脛支持部１５ｂの表面が、例えば腰板１２表面と概ね同じ高さに支持固定され、上記のように背板１１が略水平状態（倒伏状態）となって仰向けに寝た状態の被施術者の脹脛（身体の力を抜いて伸ばした状態の脚部）を支持する位置に、右側支脚器１４および左側支脚器１５を配置している。
図３に示したベッド状態の医療台１は、倒伏状態とした背板１１、腰板１２、右側支脚器１４および左側支脚器１５の上側となっている表面（脹脛支持部１５ｂの表面）が略水平となり、また、不要に身体に当接する凹凸がないことから概ね一様な平面状となって、被施術者を快適に仰向けに寝かせることが可能になる。
このとき、汚水トレイ２０は、例えば、腰板１２ならびに座板１３等の下方に配置されている。
【００２５】
図４は、医療台１の左側支脚器１５を上昇させた状態を示す説明図である。なお、この図では右側支脚器１４および支脚器支持機構部１９等の図示を省略している。
左側支脚器１５を支持する支脚器支持機構部１７は、例えば、左側支脚器１５を往動させる支脚器往動部１７ａと、後述する（図６（ｂ）に示す）支脚器支持部材１７ｂを備えている。
支脚器支持機構部１７は、例えば、左側支脚器１５、支脚器往動部１７ａおよび支脚器支持部材１７ｂを一体的に所定の回転軸に沿って回転させるように構成されている。例えば、この支脚器支持機構部１７に設定された回転軸を中心として、図中左回りに支脚器往動部１７ａおよび支脚器支持部材１７ｂの基端部分（基台１６側に配置される部分）等を、例えば図示されない回転駆動機構部等によって回転させると、左側支脚器１５は、医療台１の左側方（図中右側方）へ向かって移動し、被施術者の左脚を開脚させる動作を行う。
なお、上記の支脚器支持部材１７ｂは、例えば、左側支脚器１５の側方構造体等に連結して当該左側支脚器１５を支持し、支脚器往動部１７ａが稼動して被施術者の脚部を開脚させる際などには、支脚器支持機構部１７の往動もしくは回転に伴って左側支脚器１５の向き等が変化することを妨げないように構成されている。また、支脚器往動部１７ａは、前述の支脚器支持部材１７ｂとともに、左側支脚器１７を安定させて支持する、また任意の位置（高さ等）に固定するように構成されている。
また、図示を省略した支脚器支持機構部１９は、支脚器支持機構部１７と同様に支脚器往動部ならびに支脚器支持部材を有しており、支脚器支持機構部１７とは左右対称に動作するように構成されている。
【００２６】
図５は、医療台１に被施術者を保持させた状態を示す説明図である。この図は、図４に示した状態の医療台１に被施術者が仰向けに寝ており、右側支脚器１４および左側支脚器１５を上昇させ、両脚を閉じて垂直方向へ持ち上げた状態を示している。このとき、脹脛支持部１４ａおよび脹脛支持部１５ｂはいずれも略水平状態となって、被施術者の脹脛を上方へ持ち上げており、被施術者の上体が医療台１から落下しないように座板１３を骨盤の下端等に当接させて支持している。
【００２７】
図６は、医療台１に保持されている被施術者を開脚させるときの各部の状態を示す説明図である。図６（ａ）は、被施術者の両脚を開脚させた状態の医療台１の概観を示し、図６（ｂ）は、医療台１が図６（ａ）の状態となっているときの各機構部の概略態様を示している。なお、図６（ｂ）では右側支脚器１４および支脚器支持機構部１９等の図示を省略している。
例えば、前述のように右側支脚器１４および左側支脚器１５を上昇させ、被施術者の脚部を持ち上げた後、支脚器支持機構部１７および支脚器支持機構部１９を稼動させ、支脚器支持部材１７ｂ等を所定の回転軸に沿って回転させ、各支脚器の向き、もしくは脹脛支持部１４ｂ、脹脛支持部１５ｂの各表面の向きを変化させながら当該支脚器を移動させて脚部を開脚させる。なお、背板１１を倒伏させて右側支脚器１４ならびに左側支脚器１５などを同じ高さで水平にしたフラット状態から、例えば左側支脚器１５を上昇させながら支脚器支持部材１７ｂ等を回転させ、また、右側支脚器１４についても同様に動作させて被施術者を開脚させる動作も可能である。
【００２８】
図７は、医療台１に保持されている被施術者を開脚させた状態を示す説明図である。被施術者の脚部を開脚させるときには、支脚器支持機構部１７ならびに支脚器支持機構部１９に設定されている所定の回転軸に沿って支脚器支持部材１７ｂ等が回転し、各支脚器の間の距離、即ち、脹脛支持部１４ｂと脹脛支持部１５ｂとの間が広がる。
上記の支脚器支持機構部１７および支脚器支持機構部１９に設定されている回転軸は、例えば、倒伏状態の背板１１等に寝ている状態の被施術者の股関節など脚部の可動軸と重ならないように設けられている。
このように回転軸を設定した場合には、右側支脚器１４と左側支脚器１５との間が開くと、これら支脚器に脚部を保持させている被施術者の身体に、ねじれなどのストレスが発生することがある。ここで説明した医療台１、もしくは右側支脚器１４ならびに左側支脚器１５は、右脚内側に右側支脚部１４の凸状部１４ａが当接し、また、左脚内側に左側支脚部１５の凸状部１５ａが当接しているときには、前述のように、ねじれ等が開放されるように当該脚部が動く、もしくは姿勢を修正できるように構成されている。
即ち、右側支脚器１４ならびに左側支脚器１５が移動することにより、被施術者の脚部もしくは身体をねじる、などのストレスを加えることのないように構成されている。
【００２９】
ここでは、右側支脚器１４と左側支脚器１５を同時に、また、左右対称となるように動作させる場合を説明したが、右側支脚器１４と左側支脚器１５を各々個別に移動さるようにすることも可能である。また、いずれか一方の脚部のみを開脚させる動作や、右側支脚器１４と左側支脚器１５の各移動距離、即ち、右脚と左脚の開脚量を異なるように動作させることも可能である。
【符号の説明】
【００３０】
１医療台
１１背板
１１ａ背板支持機構部
１２腰板
１３座板
１４右側支脚器
１４ａ凸状部
１４ｂ脹脛支持部
１５左側支脚器
１５ａ凸状部
１５ｂ脹脛支持部
１５ｃ上側部分
１６基台
１７支脚器支持機構部
１７ａ支脚器往動部
１７ｂ支脚器支持部材
１８座板昇降機構部
１９支脚器支持機構部
２０汚水トレイ
【図１】
2017189560.tif 000003
【図２】
2017189560.tif 000004
【図３】
2017189560.tif 000005
【図４】
2017189560.tif 000006
【図５】
2017189560.tif 000007
【図６】
2017189560.tif 000008
【図７】
2017189560.tif 000009